(57)【要約】【課題】  接着芯地の形成及び半衿布への接着の手間が掛からず、襦袢の衿布に装着したときの衿回りの着姿をより美しく見せるようにする和装用襦袢の半衿及びその製造方法を提供する。【解決手段】  半衿１は、全長にわたって湾曲帯状を呈し、その一方面側に配置された半衿布１０と、半衿布１０に接着されるとともに短手方向の両端部にそれぞれ長手方向に延びる切り込み２０ｃを入れた１枚の接着芯地２０と、接着芯地２０を覆うように半衿布１０に縫着された裏布３０とを備え、接着芯地２０の切り込み２０ｃ及び両切り込み２０ｃを接続する仮想延長線（折り曲げ線）４１に沿って全体を裏布３０側に２つ折りにしてなる。【選択図】      図２
2005139559.tif 000002
【特許請求の範囲】
【請求項１】
襦袢の衿布に被せて装着する半衿であって、全長にわたって湾曲帯状を呈し、その一方面側に配置された半衿布と、この半衿布に接着されるとともに短手方向の両端部にそれぞれ長手方向に延びる切り込みを入れた１枚の接着芯地と、この接着芯地を覆うように半衿布に縫着された裏布とを備え、前記接着芯地の切り込み及び両切り込みを接続する仮想延長線に沿って全体を裏布側に２つ折りにしてなることを特徴とする和装用襦袢の半衿。
【請求項２】
前記接着芯地の裏布側の凹側の辺側部分における少なくとも襟足相対部分に補強芯を接着したことを特徴とする請求項１記載の和装用襦袢の半衿。
【請求項３】
前記裏布の表面側の凸側の辺に近接して複数の面ファスナを取付けたことを特徴とする請求項１又は請求項２記載の和装用襦袢の半衿。
【請求項４】
前記半衿布の表面側の凸側の辺の一端部寄り及び凹側の辺の他端部寄りにそれぞれ面ファスナを取付けたことを特徴とする請求項１、請求項２又は請求項３記載の和装用襦袢の半衿。
【請求項５】
襦袢の衿布に被せて装着する半衿の製造方法であって、帯状の半衿布の一方面に、湾曲帯状を呈するとともに短手方向の両端部にそれぞれ長手方向に延びる切り込みを入れた１枚の接着芯地を接着し、接着芯地から食み出した半衿布の両長手方向部分をそれぞれ接着芯地の長手方向曲線の辺に沿って接着芯地側に折り返し、この折り返しによって形成された湾曲帯状布よりも幾分大きめの相似形の裏布を、折り返しによって形成された湾曲帯状布の凸側の辺の対応辺だけが凸側の辺よりも突出するように当該裏布の全縁部を接着芯地側にあてがい、半衿布、接着芯地及び裏布を周縁部に沿って縫着し、更に縫着後の半衿を前記接着芯地の切り込み及び両切り込みを接続する仮想延長線に沿って裏布側に２つ折りにすることを特徴とする和装用襦袢の半衿の製造方法。
【請求項６】
前記接着芯地を前記半衿布に接着した状態で、前記接着芯地の切り込み及び仮想延長線よりも接着芯地の凹側の辺側部分における少なくとも襟足相対部分に補強芯を接着することを特徴とする請求項５記載の和装用襦袢の半衿の製造方法。
【請求項７】
前記補強芯は、前記接着芯地の切り込み近くまで延在することを特徴とする請求項６記載の和装用襦袢の半衿の製造方法。
【請求項８】
前記縫着後の半衿において、裏布の凸側の縫線に沿って複数の面ファスナを取付けることを特徴とする請求項５、請求項６又は請求項７記載の和装用襦袢の半衿の製造方法。
【請求項９】
前記縫着後の半衿において、半衿布の凸側の辺の一端部寄り及び凹側の辺の他端部寄りにそれぞれ面ファスナを取付けることを特徴とする請求項５、請求項６、請求項７又は請求項８記載の和装用襦袢の半衿の製造方法。
【発明の詳細な説明】
【技術分野】
【０００１】
この発明は、襦袢の衿布に被せて装着する半衿、及びその製造方法に関する。
【背景技術】
【０００２】
和服の下に着用する襦袢は、一般に図１３（正面図）及び図１４（背面図）に示すように、衿部分に衿布７１が装着されている。なお、符号７２は背縫を示している。
【０００３】
衿布７１は汚れ易いので、この衿布７１に半衿を縫着している。半衿は、衿布７１に応じて細長い長方形を呈するもので、この半衿を衿布７１の表側では約１ｃｍの“クケ目”（約１ｃｍだけ２つ折りにした部分を縫着すること）で取付け、裏側では背の中心から衿先にかけて少し引っ張りながら同時に衿布７１の幅に合わせて余分な部分を折り返し、この折り返し部分を衿布７１の裏側に縫着している。そして、半衿が汚れた場合は、汚れた半衿を衿布７１から取り外し、新しいのと取り替えている。
【０００４】
ところで、近年、針仕事の経験者が減少し、襦袢７０の衿布７１に対する半衿の取付け及び取り替えが困難になってきている。経験者でなくても取付け及び交換は可能であるが、上手に取付けなければ襦袢の衿回りの着姿が美しく仕上がらない。その上、従来の半衿は衿布７１の表側と裏側でそれぞれ縫着しなければならないので、取付け及び交換に時間が掛かる。また、従来の半衿は細長い長方形を呈するものであるため、この半衿を衿布７１に縫着すると、襦袢の着用時に首に接する側に皺が寄り易い。
【０００５】
そこで、本願出願人は、そのような問題点を解決するために、襦袢の衿布に被せて縫着する半衿であって、全長にわたって湾曲帯状を呈し、その長手方向の２辺が一定曲線であり、その一定曲線の２辺のうちの凸側の辺に当該辺に沿って突出する突出縁部を設け、この突出縁部が凹側の辺よりも外側に位置するように、凸側の辺側を凹側の辺側に長手方向に沿って２つ折りにしてなり、この２つ折りにした半衿の突出縁部を外側にして当該半衿を襦袢の衿布に折り曲げ線に沿って被せ、突出縁部を衿布の表側に縫着するようにした和装用襦袢の半衿及びその製造方法を提案した（例えば、特許文献１参照）。
【特許文献１】特開２００３−１３３０２号公報
【発明の開示】
【発明が解決しようとする課題】
【０００６】
上記公報記載の半衿では、帯状の半衿布の一方面に、湾曲帯状の２枚の接着芯地を、各接着芯地の長手方向の辺を半衿布の長手方向に向けて且つ同じ方向にして間隔を置いて並べて接着している。このため、２枚の接着芯地をそれぞれ所定の形状に形成するのに手間を必要とするだけでなく、この２枚の接着芯地を半衿布の一方面に間隔を開けて並べて接着するのも面倒である。また、それだけコストも掛かる。
【０００７】
更に、上記公報記載の半衿では、縫着後の半衿を２枚の接着芯地の間隔に沿って２つ折りにしているので、完成した半衿の折り返し部分がはっきりとした線となって現れ、その半衿を襦袢の衿布に被せたときに、襦袢の衿回りの着姿を美しく見せる点で不利である。      
【０００８】
この発明は、そのような問題点に着目してなされたもので、接着芯地の形成及び半衿布への接着の手間が掛からず、襦袢の衿布に装着したときの衿回りの着姿をより美しく見せるようにする和装用襦袢の半衿及びその製造方法を提供することを目的とする。
【課題を解決するための手段】
【０００９】
前記目的を達成するために、本発明の和装用襦袢の半衿は、襦袢の衿布に被せて装着する半衿であって、全長にわたって湾曲帯状を呈し、その一方面側に配置された半衿布と、この半衿布に接着されるとともに短手方向の両端部にそれぞれ長手方向に延びる切り込みを入れた１枚の接着芯地と、この接着芯地を覆うように半衿布に縫着された裏布とを備え、接着芯地の切り込み及び両切り込みを接続する仮想延長線に沿って全体を裏布側に２つ折りにしてなることを特徴とする。
【００１０】
この半衿は、上記公報記載の半衿に使用していた２枚の接着芯地に代えて、短手方向の端部に切り込みを入れた１枚の接着芯地を使用するのが特徴である。
【００１１】
この半衿において、接着芯地の裏布側の凹側の辺側部分における少なくとも襟足相対部分に補強芯を接着するのが好ましい。
【００１２】
また、裏布の表面側の凸側の辺に近接して複数の面ファスナを取付けるのが好適である。
【００１３】
更に、半衿布の表面側の凸側の辺の一端部寄り及び凹側の辺の他端部寄りにそれぞれ面ファスナを取付けるのが好適である。
【００１４】
一方、本発明の和装用襦袢の半衿の製造方法は、上記半衿を製造するものであり、帯状の半衿布の一方面に、湾曲帯状を呈するとともに短手方向の両端部にそれぞれ長手方向に延びる切り込みを入れた１枚の接着芯地を接着し、接着芯地から食み出した半衿布の両長手方向部分をそれぞれ接着芯地の長手方向曲線の辺に沿って接着芯地側に折り返し、この折り返しによって形成された湾曲帯状布よりも幾分大きめの相似形の裏布を、折り返しによって形成された湾曲帯状布の凸側の辺の対応辺だけが凸側の辺よりも突出するように当該裏布の全縁部を接着芯地側にあてがい、半衿布、接着芯地及び裏布を周縁部に沿って縫着し、更に縫着後の半衿を接着芯地の切り込み及び両切り込みを接続する仮想延長線に沿って裏布側に２つ折りにすることを特徴とする。
【００１５】
この製造方法においては、接着芯地を半衿布に接着した状態で、接着芯地の切り込み及び仮想延長線よりも接着芯地の凹側の辺側部分における少なくとも襟足相対部分に補強芯を接着するのがよい。
【００１６】
その補強芯は、接着芯地の切り込み近くまで延在するのが好ましい。
【００１７】
また、縫着後の半衿において、裏布の凸側の縫線に沿って複数の面ファスナを取付けるのが好適である。
【００１８】
更に、縫着後の半衿において、半衿布の凸側の辺の一端部寄り及び凹側の辺の他端部寄りにそれぞれ面ファスナを取付けるのが好適である。
【発明の効果】
【００１９】
本発明（請求項１，５）によれば、１枚の接着芯地だけを用いるので、その形成に手間が少なくて済む。また、半衿布の一方面に１枚の接着芯地を接着すればよいので、２枚の場合に比べて作業が楽になる。
【００２０】
更に、縫着後の半衿は接着芯地の切り込み及び仮想延長線に沿って２つ折りにするので、折り返し部分の生地の厚さが大きくなり、完成した半衿の折り返し部分が膨らみを増して、ふくよかな感じが醸しだされ、襦袢の衿布に装着したときの衿回りの着姿をより美しく見せることができる。
【００２１】
請求項２，６，７の構成とすることで、半衿の首に接触する部分がよりしっかりとなる。
【００２２】
請求項３，８の構成とすることで、襦袢の衿布に対する半衿の取付け・交換が非常に簡便になる。
【００２３】
請求項４，９の構成とすることで、襦袢の衿布に半衿を装着して前身頃側で交差させた状態を確実に保持することができ、胸元がはだけるなどの不具合が起こらない。
【発明を実施するための最良の形態】
【００２４】
以下、実施の形態により、この発明を更に詳細に説明する。
【００２５】
実施形態に係る和装用襦袢の半衿を図１（裏側の平面図）及び図２（図１の線Ａ−Ａにおける断面図）に示す。この半衿１は、襦袢の衿布に被せて装着するものであり、全長にわたって湾曲帯状を呈する。この半衿１の長手方向の２辺３０ａ，３０ｂは一定曲線であり、２辺３０ａ，３０ｂの間隔（半衿１の幅）は全長にわたって同一である。この２辺３０ａ，３０ｂの湾曲は、襦袢７０を着用したときの衿布７１の首に沿う形状に対応している。その一定曲線の２辺３０ａ，３０ｂのうち、凸側の辺３０ａには、当該辺３０ａに沿って突出する突出縁部３１が設けられている。その突出縁部３１が凹側の辺３０ｂよりも外側に突出するように、凸側の辺３０ａ側を凹側の辺３０ｂ側（或いは凹側の辺３０ｂ側を凸側の辺３０ａ側）に折り曲げ線４１に沿って全体を長手方向に２つ折りにしてなる。      
【００２６】
この２つ折りにした状態の半衿１は、その突出縁部３１を外側にして襦袢の衿布７１に折り曲げ線４１に沿って被せることで、衿布７１に装着される（図１２参照）。
【００２７】
次に、この半衿１の具体的な製造方法について、図３〜図１２を参照して説明する。まず図３において、表側の生地として細長い長方形の半衿布１０を用意する。この半衿布１０は、例えば約１２０ｃｍの長さを有する。また、半衿布１０の幅は、例えば約１６ｃｍである。
【００２８】
続いて図４において、この半衿布１０の裏側に、図示のような１枚の湾曲帯状の接着芯地（裏面に接着剤が塗布された芯地）２０を例えば熱圧着により接着する。この接着芯地２０の長手方向の対向２辺２０ａ，２０ｂは全長にわたって一定曲線である。また、接着芯地２０の短手方向の両端部にはそれぞれ長手方向に延びる切り込み２０ｃが形成されている。但し、切り込み２０ｃは分かり易くするために大きめに描かれている。なお、具体例として、接着芯地２０は、その中央部での幅ａが１０ｃｍであり、端部での幅ｂ，ｃがそれぞれ７ｃｍ，３ｃｍであり、幅は全長にわたってほぼ１０ｃｍと一定である。
【００２９】
この接着芯地２０は、その凸側の辺２０ａを図面の上側にして半衿布１０に熱圧着により接着する。接着芯地２０の接着後、図５において、接着芯地２０の切り込み２０ｃ及び両切り込み２０ｃを接続する仮想延長線よりも凹側の辺２０ｂ側部分（少なくとも襟足相対部分を含む部分）に補強芯２５を接着する。ここでは、補強芯２５は接着芯地２０の切り込み２０ｃ近くまで延在しているが、少なくとも襟足相対部分にあればよい。
【００３０】
そして、図６に示すように、１枚の接着芯地２０から食み出した半衿布１０の両長手方向部分をそれぞれ接着芯地２０の凸側の辺２０ａ及び凹側の辺２０ｂに沿って接着芯地２０側に折り返すとともに、半衿布１０の短手方向部分を接着芯地２０の短辺に沿って接着芯地２０側に折り返す。但し、この短手方向部分は折り返さずにそのままでもよい。
【００３１】
半衿布１０の両長手方向部分を折り返すときに、両長手方向部分を湾曲辺２０ａ，２０ｂに沿って折り返すため、特に湾曲片２０ｂ側の長手方向部分には皺が寄り易く、これを防ぐために、図６に示すように中央部分に複数の切れ目１５を入れる。
【００３２】
次いで、図７に示すように、その折り返しによって形成された湾曲状の半衿布１０（図６参照）よりも幾分大きめの相似形の裏布３０を、折り返しによって形成された凸側の辺１０ａの対応辺３０ａだけが辺１０ａよりも突出するように全縁部を内側に折り返して接着芯地２０側にあてがい、半衿布１０、接着芯地２０及び裏布３０を周縁部（図２の縫線４０）に沿って縫着する。この縫着により、裏布３０の辺３０ａが半衿布１０の辺１０ａよりも突出する突出縁部３１が全長にわたって形成される（図２参照）。
【００３３】
この縫着してできた半衿１の裏布３０側において、図８に示すように、裏布３０の辺３０ａ側の縫線４０に近接して複数（ここでは５つ）の面ファスナ５１を間隔を置いて縫着などにより取付ける。更に、図９に示すように、半衿布１０側において、その辺１０ａの一端部（図では右端部）寄り及び辺１０ｂの他端部（図では左端部）寄りにそれぞれ面ファスナ５２を縫着などにより取付ける。
【００３４】
この半衿１を接着芯地２０の切り込み２０ｃ及び両切り込み２０ｃを接続する仮想延長線（図１の一点鎖線４１に相当、図２も参照）に沿って裏布３０側に２つ折りにする。この２つ折りにして襦袢７０の衿布７１に沿う形態の半衿１を図１０（逆状態図）及び図１１（正状態図）に示す。
【００３５】
半衿１を２つ折りにした状態においても、折り曲げ線４１を挟んで衿布７１の内側に位置する湾曲帯状部分（首に接触する部分）と衿布７１の外側に位置する湾曲帯状部分は、突出縁部３１を除いて襟足の中央に相対する部分でほぼ同一幅となり、衿布７１の端部に行くに従い外側の帯状部分の幅が内側の帯状部分の幅よりも大きくなる。
【００３６】
そして、図１２に示すように、この２つ折りにした半衿１を、その突出縁部３１を外側にして襦袢７０の衿布７１に折り曲げ線４１に沿って被せ、外側の湾曲帯状部分の裏側にある面ファスナ５１を、その面ファスナ５１に対応して予め襦袢７０の衿布７１に取付けてある面ファスナ６１に係合させることで、半衿１が衿布７１に装着される。
【００３７】
この半衿１では、１枚の接着芯地２０だけを用いるので、前記公報記載の発明のように２枚の接着芯地を使用するのに比べて、その形成に手間が少なくて済む。また、半衿布１０の一方面に１枚の接着芯地２０を接着すればよいので、２枚の場合に比べて作業が楽になる。
【００３８】
更に、縫着後の半衿１は接着芯地２０の切り込み２０ｃ及び両切り込み２０ｃを接続する仮想延長線（折り曲げ線）４１に沿って２つ折りにするので、折り返し部分の生地の厚さが大きくなり、つまり折り返し部分が半衿布１０、接着芯地２０及び裏布３０の３層になり、完成した半衿１の折り返し部分が膨らみを増して、ふくよかな感じが醸しだされ、襦袢７０の衿布７１に装着したときの衿回りの着姿をより美しく見せることができる。
【００３９】
また、半衿１の外側の湾曲帯状部分内に補強芯２５が有るので、半衿１の首に接触する部分がよりしっかりとなるだけでなく、面ファスナ５１，６１を利用して半衿１を襦袢７０の衿布７１に取付けるので、衿布７１に対する半衿１の取付け・交換が非常に簡便である。
【００４０】
その上、襦袢７０を着用し、衿布７１（半衿１）を前身頃側で交差させてから、半衿１を面ファスナ５２で止めることで、半衿１を交差させた状態を確実に保持することができ、胸元がはだけるなどの不具合が起こらない。
【００４１】
なお、上記実施形態の半衿１では、接着芯地２０に補強芯２５を接着してあるが、この補強芯２５は、襦袢７０を着用したときに半衿１の表側に皺が現れないのであれば無くてもよい。
【図面の簡単な説明】
【００４２】
【図１】実施形態に係る和装用襦袢の半衿の裏側の平面図である。
【図２】図１の線Ａ−Ａにおける断面図である。
【図３】図１に示す半衿の製造方法の第１段階において、半衿布の平面図である。
【図４】同製造方法の第２段階において、図３の半衿布に１枚の接着芯地を接着したときの平面図である。
【図５】同製造方法の第３段階において、図４の半衿布上の接着芯地に補強芯を接着したときの平面図である。
【図６】同製造方法の第４段階において、図５の半衿布の接着芯地からの食み出し部分を接着芯地側に折り返したときの平面図である。
【図７】同製造方法の第５段階において、図６の半衿布の裏側に裏布を縫着したときの平面図である。
【図８】同製造方法の第６段階において、図７の半衿布の裏側に面ファスナを取付けたときの平面図である。
【図９】同製造方法の第７段階において、図８の半衿布の表側に面ファスナを取付けたときの平面図である。
【図１０】同製造方法の第８段階において、図９の半衿を折り曲げ線で２つ折りにして襦袢の衿布に沿う形態にしたときの逆状態図である。
【図１１】同製造方法の第８段階において、図９の半衿を折り曲げ線で２つ折りにして襦袢の衿布に沿う形態にしたときの正状態図である。
【図１２】同製造方法により完成した半衿を襦袢の衿布に被せるときの様子を示す斜視図である。
【図１３】一般的な襦袢の正面図である。
【図１４】図１３の襦袢の背面図である。
【符号の説明】
【００４３】
１            和装用襦袢の半衿
１０          半衿布
１０ａ        凸側の辺
１０ｂ        凹側の辺
２０          接着芯地
２０ａ        凸側の辺
２０ｂ        凹側の辺
２０ｃ        切り込み
２５          補強芯
３０          裏布
３０ａ        凸側の辺
３０ｂ        凹側の辺
４０          縫線
４１          折り曲げ線（仮想延長線）
５１，５２    面ファスナ
６１          面ファスナ
７０          襦袢
７１          衿布
【図１】
2005139559.tif 000003
【図２】
2005139559.tif 000004
【図３】
2005139559.tif 000005
【図４】
2005139559.tif 000006
【図５】
2005139559.tif 000007
【図６】
2005139559.tif 000008
【図７】
2005139559.tif 000009
【図８】
2005139559.tif 000010
【図９】
2005139559.tif 000011
【図１０】
2005139559.tif 000012
【図１１】
2005139559.tif 000013
【図１２】
2005139559.tif 000014
【図１３】
2005139559.tif 000015
【図１４】
2005139559.tif 000016